(57)【要約】【課題】複数の種類の記録紙の中から、所望の記録紙を選択して印刷を行うことのできる小型で携帯性の高い記録紙カセットを提供する。【解決手段】記録紙を収容する記録紙カセットであって、前記記録紙カセットは、筐体内に重ねられた複数の収納カセットと回転送りカムを有し、隣り合う前記収納カセットの一方の側の端部は、段部が形成された状態で接続されており、前記段部の段差と前記段部の幅は略同じであって、前記回転送りカムは、回転軸を中心に対向する位置に２本のピンが設けられており、前記収納カセットの少なくとも一方の側の端部にはピン受け部が設けられており、隣り合う前記収納カセットの少なくとも一方のピン受け部に前記ピンの少なくとも一方が入った状態で、前記回転送りカムを回転させることにより、複数の前記収納カセットが接続されている状態のまま動かすことができることを特徴とする記録紙カセットを提供することにより上記課題を解決する。【選択図】  図３１
2019043766.tif 000002
【特許請求の範囲】
【請求項１】
記録紙を収容する記録紙カセットであって、
前記記録紙カセットは、筐体内に重ねられた複数の収納カセットと回転送りカムを有し、
隣り合う前記収納カセットの一方の側の端部は、段部が形成された状態で接続されており、
前記段部の段差と前記段部の幅は略同じであって、
前記回転送りカムは、回転軸を中心に対向する位置に２本のピンが設けられており、
前記収納カセットの少なくとも一方の側の端部にはピン受け部が設けられており、
隣り合う前記収納カセットの少なくとも一方のピン受け部に前記ピンの少なくとも一方が入った状態で、前記回転送りカムを回転させることにより、複数の前記収納カセットが接続されている状態のまま動かすことができることを特徴とする記録紙カセット。
【請求項２】
前記回転送りカムは、記録紙を収納カセットから送り出す搬送ローラと同軸上に設けられていることを特徴とする請求項１に記載の記録紙カセット。
【請求項３】
前記収納カセットは、略長方形の形状で形成されており、
隣り合う前記収納カセットの他方の端部は段部が形成された状態で接続されており、
前記段部の段差と前記段部の幅は略同じであって、
前記収納カセットの他方の側の端部にはピン受け部が設けられており、
前記回転送りカムは、前記収納カセットの一方の側と他方の側に設けられていることを特徴とする請求項１または２に記載の記録紙カセット。
【請求項４】
前記筐体に接続されたバネと、
前記バネに接続され、長穴を有する接続部材と、
を有し、
前記長穴には、前記収納カセットの側面に設けられた支持ピンと前記筐体に設けられた支持ピンが入れられており、
前記バネの復元力により、接続部材及び前記支持ピンを介し、複数の前記収納カセットは一方の側に押されていることを特徴とする請求項３に記載の記録紙カセット。
【請求項５】
前記回転送りカムは、前記収納カセットの一方の側に設けられていることを特徴とする請求項１または２に記載の記録紙カセット。
【請求項６】
前記筐体に一方の端部が接続されたバネと、
前記バネの他方の端部に接続された長穴を有する複数の接続部材と、
複数の前記接続部材を連結する連結部材と、
各々の前記接続部材の長穴には、対応する前記収納カセットの側面に設けられた支持ピンと前記筐体に設けられた支持ピンが入れられており、
前記バネの復元力により、接続部材及び前記支持ピンを介し、複数の前記収納カセットは一方の側に押されていることを特徴とする請求項５に記載の記録紙カセット。
【請求項７】
前記記録紙カセットの他方の側には背面蓋が設けられており、
前記背面蓋を開くことにより、前記収納カセットに記録紙を補充することができることを特徴とする請求項１から６いずれかに記載の記録紙カセット。
【請求項８】
請求項１から７のいずれかに記載の記録紙カセットと、
前記記録紙カセットに収納されている記録紙に印刷をするプリンタと、
を有することを特徴とする印刷装置。
【発明の詳細な説明】
【技術分野】
【０００１】
本発明は、記録紙カセット及び印刷装置に関する。
【背景技術】
【０００２】
従来より、携帯型のプリンタが存在しているが、このようなプリンタは箱形に形成されており比較的大きく、バッグ等に入れられて持ち運ばれていた。また、プリンタには記録紙や記録紙を入れるホルダ等も必要であり、これらも一緒に持ち運ぶ場合が多い。
【先行技術文献】
【特許文献】
【０００３】
【特許文献１】特開２００６−１５９４２７号公報
【特許文献２】特開２００４−３４５８１９号公報
【発明の概要】
【発明が解決しようとする課題】
【０００４】
近年は、スマートフォン等の携帯情報端末が普及しており、携帯情報端末を用いて、他の情報端末と同様に記録紙に印刷したいといったニーズが考えられる。携帯情報端末は携帯性を有することを特徴としているため、携帯情報端末からの出力を印刷するプリンタも小型で携帯性の高いものが好ましい。
【０００５】
ところで、スマートフォン等の携帯情報端末においてはアプリケーションが多様化しており、このため、携帯情報端末からの出力を印刷する印刷装置においても、様々な種類の記録紙に印刷することのできる記録紙カセット、即ち、複数の異なる種類の記録紙の中から記録紙を選択して印刷を行うことのできる記録紙カセットが求められている。
【課題を解決するための手段】
【０００６】
本実施の形態の一観点によれば、記録紙を収容する記録紙カセットであって、前記記録紙カセットは、記録紙を収容する記録紙カセットであって、前記記録紙カセットは、筐体内に重ねられた複数の収納カセットと回転送りカムを有し、隣り合う前記収納カセットの一方の側の端部は、段部が形成された状態で接続されており、前記段部の段差と前記段部の幅は略同じであって、前記回転送りカムは、回転軸を中心に対向する位置に２本のピンが設けられており、前記収納カセットの少なくとも一方の側の端部にはピン受け部が設けられており、隣り合う前記収納カセットの少なくとも一方のピン受け部に前記ピンの少なくとも一方が入った状態で、前記回転送りカムを回転させることにより、複数の前記収納カセットが接続されている状態のまま動かすことができることを特徴とする。
【発明の効果】
【０００７】
開示の記録紙カセットによれば、複数の種類の記録紙の中から、所望の記録紙を選択して印刷を行うことのできる小型で携帯性の高い記録紙カセットを提供することができる。
【図面の簡単な説明】
【０００８】
【図１】第１の実施の形態の印刷装置の斜視図
【図２】第１の実施の形態のプリンタの斜視図
【図３】第１の実施の形態のプリンタの断面図
【図４】第１の実施の形態の記録紙カセットの斜視図
【図５】第１の実施の形態の記録紙カセットの内部の斜視図
【図６】第１の実施の形態の記録紙カセットの内部の上面図
【図７】第１の実施の形態の記録紙カセットの内部の左側面図
【図８】第１の実施の形態の記録紙カセットの内部の右側面図
【図９】第１の実施の形態の記録紙カセットの内部の正面図
【図１０】第１の実施の形態の記録紙カセットの要部の斜視図
【図１１】第１の収納カセット、第２の収納カセット、第３の収納カセットの説明図（１）
【図１２】第１の収納カセット、第２の収納カセット、第３の収納カセットの説明図（２）
【図１３】第１の収納カセット、第２の収納カセット、第３の収納カセットの説明図（３）
【図１４】第１の収納カセットが選択されている状態の説明図（１）
【図１５】第１の収納カセットが選択されている状態の説明図（２）
【図１６】第１の収納カセットが選択されている状態の説明図（３）
【図１７】第１の収納カセットが選択されている状態の説明図（４）
【図１８】第２の収納カセットが選択されている状態の説明図（１）
【図１９】第２の収納カセットが選択されている状態の説明図（２）
【図２０】第２の収納カセットが選択されている状態の説明図（３）
【図２１】第２の収納カセットが選択されている状態の説明図（４）
【図２２】第１の収納カセットが選択されている状態から第２の収納カセットが選択されている状態に移行する途中の説明図
【図２３】第３の収納カセットが選択されている状態の説明図（１）
【図２４】第３の収納カセットが選択されている状態の説明図（２）
【図２５】第３の収納カセットが選択されている状態の説明図（３）
【図２６】第３の収納カセットが選択されている状態の説明図（４）
【図２７】回転送りカムの駆動方法の説明図
【図２８】第１の実施の形態の記録紙カセットとプリンタとが接続されている状態の説明図
【図２９】第１の実施の形態の印刷装置の印刷方法の説明図
【図３０】第１の実施の形態の印刷装置の変形例の斜視図
【図３１】第２の実施の形態の記録紙カセットの内部の斜視図
【図３２】第２の実施の形態の記録紙カセットの内部の左側面図
【図３３】第１の収納カセットが選択されている状態の説明図
【図３４】第２の収納カセットが選択されている状態の説明図
【図３５】第１の収納カセットが選択されている状態から第２の収納カセットが選択されている状態に移行する途中の説明図
【図３６】第３の収納カセットが選択されている状態の説明図
【図３７】第２の実施の形態の記録紙カセットの背面蓋の説明図（１）
【図３８】第２の実施の形態の記録紙カセットの背面蓋の説明図（２）
【発明を実施するための形態】
【０００９】
本発明を実施するための形態について、以下に説明する。尚、同じ部材等については、同一の符号を付して説明を省略する。本願において、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１０】
（印刷装置）
本実施の形態における印刷装置について、図１に基づき説明する。図１は、本実施の形態における印刷装置の斜視図である。
【００１１】
本実施の形態における印刷装置は、不図示のスマートフォン等の携帯情報端末から無線通信により情報を受信し、記録紙に印刷することができる。本実施の形態における印刷装置は、複数の種類の記録紙を収容する記録紙カセット１００、ペン型のプリンタ２００を有している。記録紙カセット１００には、大きさ、厚さ、色等が異なる複数種類の記録紙の各々が収納可能な収納カセットが複数設けられている。
【００１２】
（プリンタ）
最初に、プリンタ２００について、図２及び図３に基づき説明する。図２は、プリンタ２００の斜視図であり、図３はプリンタ２００の部分断面図である。プリンタ２００は外観が円柱状に形成されており、プリンタ機能と無線による通信機能とを有しているＩｏＴ（Internet of Things）デバイスである。
【００１３】
プリンタ２００は、サーマルヘッド等の印刷ヘッド２１１、プラテンローラ２１２、給紙ローラ２１３、記録紙ガイド２１４、加圧バネ、制御基板２１６、内蓋２５０、外蓋２６０を有している。印刷ヘッド２１１は加圧バネのバネ力によりプラテンローラ２１２に押されている。記録紙は、微粘着性の給紙ローラ２１３が設けられている側から記録紙ガイド２１４に沿ってプリンタ２００に入り、印刷ヘッド２１１とプラテンローラ２１２との間で挟まれた状態で、プラテンローラ２１２により搬送されながら印刷されて排紙される。制御基板２１６には、プリンタ２００の制御を行う電子回路や電子部品が搭載されている。
【００１４】
内蓋２５０及び外蓋２６０は円筒状であり、外蓋２６０の内側に内蓋２５０が入るように形成されている。内蓋２５０には、その母線に沿って開口している給紙口２５１及び排紙口２５２が設けられており、外蓋２６０にはその母線に沿って開口している給紙口２６１及び排紙口２６２が設けられている。外蓋２６０は、その内側に入れられた内蓋２５０に対し回転可能である。プリンタ２００により印刷を行う際には、内蓋２５０の給紙口２５１と外蓋２６０の給紙口２６１の位置が一致して開いており、内蓋２５０の排紙口２５２と外蓋２６０の排紙口２６２の位置が一致して開いている。このように開いている給紙口２５１及び給紙口２６１より記録紙がプリンタ２００に入り、排紙口２５２及び排紙口２６２より排紙される。
【００１５】
プリンタ２００には、印刷が可能な給紙口２５１、２６１が開放している状態で、記録紙カセット１００を給紙口２６１に接続できる。プリンタ２００で印刷を行う際には、印刷データが不図示の携帯情報端末よりプリンタ２００にＢＬＥ（Bluetooth Low Energy）等の無線通信により送信される。プリンタ２００はアンテナから印刷データを受信し、記録紙に印刷が行われる。
【００１６】
プリンタ２００の筐体内部には、充電池であるリチウムイオン電池が入れられた電源２８０が設けられている。リチウムイオン電池より供給された電力により、プリンタ２００を駆動することができる。
【００１７】
プリンタ２００は、直径が約１８ｍｍ、長さは約１６５ｍｍ〜１７０ｍｍと小型であり、ストレスを伴うことなく持ち運びができる。プリンタ２００にはフック２９０が設けられており、ペンと同様に衣服の胸のポケット等にさした状態で持ち運ぶことが可能である。
【００１８】
（記録紙カセット）
次に、記録紙カセット１００について説明する。図４は記録紙カセット１００の斜視図であり、図５は記録紙カセット１００の内部の様子を示す透過斜視図であり、図６は上面図、図７は左側面図、図８は右側面図、図９は正面図である。図１０は、図４の要部を拡大した図である。
【００１９】
記録紙カセット１００は、Ｙ１−Ｙ２方向の長さがＸ１−Ｘ２方向よりも長い略長方形に形成されている。筐体１０１内には、第１の収納カセット１１０、第２の収納カセット１２０、第３の収納カセット１３０、第１の搬送ローラ１４０、第２の搬送ローラ１５０を有している。第１の収納カセット１１０、第２の収納カセット１２０、第３の収納カセット１３０には、それぞれ異なる種類の記録紙が各々収納可能である。尚、本実施の形態において用いられる記録紙の大きさは、例えば、Ａ８（５２ｍｍ×７４ｍｍ）である。
【００２０】
第１の搬送ローラ１４０及び第２の搬送ローラ１５０は、Ｘ１−Ｘ２方向が長手方向となるように設けられており、筐体１０１の第１の搬送ローラ１４０、第２の搬送ローラ１５０近傍の位置には、記録紙をプリンタに供給するための開口１０２が形成されている。
【００２１】
また、筐体１０１内には、回転送りカム１６１、１６２、１６３、１６４が各々設けられている。図１０に示されるように、回転送りカム１６１は、第１の円板部１６１ａと、第１の円板部１６１ａよりも外側に設けられ、第１の円板部１６１ａよりも径の小さい第２の円板部１６１ｂと、第１の円板部１６１ａの内側に設けられた２本のピン１６１ｃとを有している。第１の円板部１６１ａの円の中心と第２の円板部１６１ｂの円の中心とは一致しており、２本のピン１６１ｃは、第１の円板部１６１ａの円の中心を基準に対向する位置に設けられている。即ち、２本のピン１６１ｃの中間が第１の円板部１６１ａの円の中心となっており、２本のピン１６１ｃは、第１の円板部１６１ａの円の中心を中心として１８０°回転した位置に形成されている。尚、他の回転送りカム１６２、１６３、１６４も、回転送りカム１６１と同じ形状で形成されている。
【００２２】
回転送りカム１６１、１６２は、第２の搬送ローラ１５０の軸の両端に各々設けられている。第２の搬送ローラ１５０の軸のＸ２側の端部に回転送りカム１６１が設けられており、Ｘ１側の端部に回転送りカム１６２が設けられている。回転送りカム１６１、１６２は、記録紙カセットのＹ２側に設けられている。本実施の形態では、第２の搬送ローラ１５０の回転軸の中心と回転送りカム１６１、１６２の中心とが一致しているが、第２の搬送ローラ１５０と回転送りカム１６１、１６２とは各々独立に回転するように接続されている。回転送りカム１６１の回転は、伝達シャフト１６５により回転送りカム１６２に伝えられる。具体的には、回転送りカム１６１に設けられた不図示のギアと伝達シャフト１６５に設けられた一方の不図示のギアとが噛み合っており、伝達シャフト１６５に設けられた他方の不図示のギアと回転送りカム１６２とが噛み合っている。従って、回転送りカム１６１が回転すると、これに伴い伝達シャフト１６５が回転し、更に、回転送りカム１６２が回転する。
【００２３】
回転送りカム１６３、１６４は、記録紙カセットのＹ１側に設けられており、回転送りカム１６３はＸ２側に、回転送りカム１６４はＸ１側に設けられている。また、記録紙カセットのＸ２側には、回転送りカム１６１の回転を回転送りカム１６３に伝達するタイミングベルト１６６が設けられており、Ｘ１側には、回転送りカム１６２の回転を回転送りカム１６４に伝達するタイミングベルト１６７が設けられている。更に、回転送りカム１６１を回転させるためのモータ１６８が記録紙カセットに設けられている。
【００２４】
本実施の形態においては、モータ１６８により回転送りカム１６１を回転させることにより、この回転が伝達シャフト１６５を介し回転送りカム１６２に伝達されて回転送りカム１６２が回転する。同時に、タイミングベルト１６６を介し回転送りカム１６１の回転が回転送りカム１６３に伝達されて回転送りカム１６３が回転し、更に、回転送りカム１６２の回転は、タイミングベルト１６７を介し回転送りカム１６４に伝達されて回転送りカム１６４が回転する。従って、モータ１６８により回転送りカム１６１を回転させることにより、伝達シャフト１６５、タイミングベルト１６６、タイミングベルト１６７を介し、他の３つの回転送りカム１６２、１６３、１６４も連動して回転する。
【００２５】
また、本実施の形態においては、図７及び図８に示されるように、第２の収納カセット１２０の両側面には、支持ピン１２８が設けられている。更に、第１の収納カセット１１０、第２の収納カセット１２０、第３の収納カセット１３０よりもＸ１側及びＸ２側には、バネ１７０と接続部材１７１が設けられている。バネ１７０は例えば、巻きバネであり、一方の端部１７０ａは筐体１０１の内側に接続されており、他方の端部１７０ｂは接続部材１７１に設けられた接続部１７２に接続されている。接続部材１７１には長穴１７１ａが形成されており、長穴１７１ａには、支持ピン１２８と、支持ピン１０３が入った状態となっている。この状態では、バネ１７０には縮む方向、即ち、接続部材１７１がＹ２方向に移動する方向に復元力が働いている。
【００２６】
本実施の形態においては、図１１から図１３に示されるように、第１の収納カセット１１０、第２の収納カセット１２０、第３の収納カセット１３０は、筐体内でＺ１−Ｚ２方向に積層して接続されている。図１１は、積層された第１の収納カセット１１０、第２の収納カセット１２０、第３の収納カセット１３０の側面図であり、図１２はＹ２側の拡大図であり、図１３はＹ１側の拡大図である。
【００２７】
本実施の形態においては、第１の収納カセット１１０、第２の収納カセット１２０、第３の収納カセット１３０の各々には、他の収納カセットと接続するための不図示の接続部が形成されており、各々の接続部を接続することにより、第１の収納カセット１１０、第２の収納カセット１２０、第３の収納カセット１３０を一体の状態にすることができる。
【００２８】
第１の収納カセット１１０、第２の収納カセット１２０、第３の収納カセット１３０が積層されて接続されている状態では、第１の収納カセット１１０と第２の収納カセット１２０とにより、Ｙ２側には段部１１３が形成され、Ｙ１側には段部１１４が形成される。また、第２の収納カセット１２０と第３の収納カセット１３０とにより、Ｙ２側には段部１２３が形成され、Ｙ１側には段部１２４が形成される。
【００２９】
本実施の形態においては、図１２に示されるように、段部１１３の段差Ｈ１と段部の幅Ｗ１とは略同じとなるように形成されており、段部１２３の段差Ｈ２と段部の幅Ｗ２とは略同じとなるように形成されている。同様に、図１３に示されるように、段部１１４の段差Ｈ３と段部の幅Ｗ３とは略同じとなるように形成されており、段部１２４の段差Ｈ４と段部の幅Ｗ４とは略同じとなるように形成されている。
【００３０】
収納カセットを順次切り替えるには回転軸を必要とするが、この回転軸は第２の搬送ローラの回転軸に採るのが最も効率が良い。カセットに収納される最上部の用紙は必ず第２の搬送ローラと接する必要がある。よって一方のピンは第２の搬送ローラと接する水平面より上に位置し、円弧の内に第２の搬送ローラを含む必要がある。仮に回転軸を別途設けるとすれば必ず第２の搬送ローラの外部に設ける必要がある。ところが第２の搬送ローラの側面に位置する収納カセットの側端面も又、第２の搬送ローラと干渉することは出来ない。同時に回転軸を中心として、側面に位置するカセットのピンとローラに接する収納カセットのピン迄の距離は等しくなる必要があるため、これら３つの条件を満足する配置は、第２の搬送ローラを回転中心とする当該方式に比して幅と高さが大きくなる。よって第２の搬送ローラの回転軸を収納カセットの送りの回転軸とすれば、最も実装上効率の良いものとなる。
【００３１】
第１の収納カセット１１０のＹ２側の上端にはピン受け部１１１が設けられており、Ｙ１側の上端にはピン受け部１１２が設けられている。第２の収納カセット１２０のＹ２側の上端にはピン受け部１２１が設けられており、Ｙ１側の上端にはピン受け部１２２が設けられている。第３の収納カセット１３０には、Ｙ２側の上端にピン受け部１３１が設けられており、Ｙ１側の上端にピン受け部１３２が設けられている。
【００３２】
尚、各々の収納カセットには、各々収納されている一番上の記録紙と第２の搬送ローラ１５０とを接触させるための窓部が設けられている。図１０では、第２の収納カセット１２０に設けられた窓部１２７と第３の収納カセット１３０に設けられた窓部１３７が示されており、窓部１２７を介して第２の収納カセット１２０に収納されている記録紙と第２の搬送ローラ１５０とが接触している状態を示している。
【００３３】
（収納カセットの選択）
次に、記録紙カセットにおける記録紙の選択について説明する。記録紙の選択は、モータ１６８を回転させることにより行われる。
【００３４】
図１４から図１７は、第１の収納カセット１１０に収納されている記録紙に印刷を行う場合の状態を示している。図１４は側面図であり、図１５はＹ２側の拡大図であり、図１６はＹ１側の拡大図である。図１７は筐体１０１内の各収納カセットの状態を示し、バネ１７０及び接続部材１７１を図示している。尚、図１７、図２１、図２６では、便宜上、回転送りカム１６２及び回転送りカム１６４を図示しているが、紙面反対側の対応する位置には、回転送りカム１６１及び回転送りカム１６３が存在している。
【００３５】
上記のように、回転送りカム１６１には対向する位置に２本のピン１６１ｃが設けられており、同様に、回転送りカム１６３には対向する位置に２本のピン１６３ｃが設けられている。第１の収納カセット１１０が選択されている状態では、ピン１６１ｃの一方が第１の収納カセット１１０のピン受け部１１１に入っており、ピン１６３ｃの一方が第１の収納カセット１１０のピン受け部１１２に入っている。尚、他方のピン１６１ｃ、及び他方のピン１６３ｃは、何にも接触していない。
【００３６】
また、図１７に示されるように、この状態では、バネ１７０により、接続部材１７１には筐体１０１の支持ピン１０３を中心に時計回りに付勢力が働いている。この付勢力により、接続部材１７１の長穴１７１ａに入っている支持ピン１２８は、Ｙ２方向に押されている。このように、支持ピン１２８がＹ２方向に押されると、第１の収納カセット１１０、第２の収納カセット１２０、第３の収納カセット１３０の全体がＹ２方向に押され、ピン受け部１１１とピン１６１ｃとが離れてしまうことを防ぐことができる。また、第２の搬送ローラ１５０は、第１の収納カセット１１０に収納されている一番上の記録紙と接触している。
【００３７】
次に、第２の収納カセット１２０に収納されている記録紙に印刷を行う場合について説明する。図１８から図２１は、第２の収納カセット１２０が選択されている状態を示している。図１８は側面図であり、図１９はＹ２側の拡大図であり、図２０はＹ１側の拡大図である。図２１は、第２の収納カセットが選択されたときの筐体内での各収納カセットの状態を示し、バネ１７０及び接続部材１７１を図示する。
【００３８】
第１の収納カセット１１０から第２の収納カセット１２０への切り替えは、モータ１６８により回転送りカム１６１を図１８図示時計回りに回転させることにより行う。図２２は、第１の収納カセット１１０が選択されている状態から、第２の収納カセット１２０が選択されている状態へ移行する途中の状態を示し、図１５に示す状態から回転送りカム１６１を時計回りに９０°回転させることにより、図２２に示される状態となる。更に、９０°回転送りカム１６１を回転させることにより、図１９に示す状態になる。よって、図１５の状態から回転送りカム１６１を時計回りに１８０°回転させることにより、図１９に示される状態になる。
【００３９】
第１の収納カセット１１０が選択されている状態から、第２の収納カセット１２０が選択されている状態に移行する際には、第１の収納カセット１１０のピン受け部１１１、第２の収納カセット１２０のピン受け部１２１、第３の収納カセット１３０のピン受け部１３１は、図１９に示される二点鎖線に示される軌跡を辿り移動する。回転送りカム１６１〜１６４が回転することによって、積層された収納カセットはピン受け部１１１、１２１、１３１を通過する直線上を斜め方向に移動する。
【００４０】
第１の収納カセット１１０が選択されている図１５の状態から回転送りカム１６１が時計回りに回転すると、最初に、筐体内の積層された各収納カセットが、ピン１６１ｃにより押されて、全体に左下方向に移動し、第１の収納カセット１１０に収納されている記録紙と接触していた第２の搬送ローラ１５０は、相対的に記録紙の紙面に対しＺ１方向に向かって離れる。この後、更に回転送りカム１６１が時計回りに回転すると、積層された収納カセットが左下方向から左方向、左上方向、上方向、右上方向に移動し、第２の収納カセット１２０が選択された図１９の状態になる。即ち、回転送りカム１６１が、図１５の状態から時計回りに１８０°回転することにより、第１の収納カセット１１０、第２の収納カセット１２０、第３の収納カセット１３０は、一体としてＹ１方向及びＺ１方向に動き、図１９の状態となる。尚、第２の収納カセット１２０が選択されると、第２の搬送ローラ１５０は、相対的に記録紙の紙面に対しＺ２方向に向かって動き、第２の収納カセット１２０に収納されている一番上の記録紙と窓部１２７において接触する。
【００４１】
第２の収納カセット１２０が選択されている状態では、回転送りカム１６１の一方のピン１６１ｃが第１の収納カセット１１０のピン受け部１１１に入っており、他方が第２の収納カセット１２０のピン受け部１２１に入っている。また、回転送りカム１６３の一方のピン１６３ｃが第１の収納カセット１１０のピン受け部１１２に入っており、他方が第２の収納カセット１２０のピン受け部１２２に入っている。図１０は、この状態を示している。
【００４２】
また、図２１に示す状態では、バネ１７０の復元力により、接続部材１７１の長穴１７１ａに入っている支持ピン１２８は、Ｙ２方向に押されている。また、第２の搬送ローラ１５０は、第２の収納カセット１２０に収納されている記録紙のうちの一番上の記録紙と接触している。
【００４３】
次に、第３の収納カセット１３０に収納されている記録紙に印刷を行う場合について説明する。図２３から図２６は、第３の収納カセット１３０が選択されている状態を示している。図２３は側面図であり、図２４はＹ２側の拡大図であり、図２５はＹ１側の拡大図である。図２６は、筐体内の各収納カセットを示し、バネ１７０及び接続部材１７１を図示する。
【００４４】
第２の収納カセット１２０が選択されている図１９の状態から、第３の収納カセット１３０が選択されている図２４の状態への移行は、第１の収納カセット１１０が選択されている状態から第２の収納カセット１２０が選択されている状態への移行と同様であり、モータ１６８により回転送りカム１６１を時計回りに１８０°回転させることにより行う。
【００４５】
第３の収納カセット１３０が選択された図２４の状態では、回転送りカム１６１のピン１６１ｃの一方が第３の収納カセット１３０のピン受け部１３１に入っており、他方が第２の収納カセット１２０のピン受け部１２１に入っている。また、図２５に示すように、回転送りカム１６３のピン１６３ｃの一方が第３の収納カセット１３０のピン受け部１３２に入っており、他方が第２の収納カセット１２０のピン受け部１２２に入っている。
【００４６】
このように動作することで、積層された収納カセットが図２１の状態から図２６に示す位置に図示上方左側に移動し、第２の搬送ローラ１５０が第３の収納カセット１３０に収納されている記録紙のうちの一番上の記録紙と接触する。また、図２６に示す状態では、バネ１７０の復元力により、接続部材１７１の長穴１７１ａに入っている支持ピン１２８は、Ｙ２方向に押されている。
【００４７】
以上説明したように、筐体内で積層された収納カセットを回転送りカムを用いて移動させることによって、印刷対象の記録紙を選択可能とすることが出来る。そのため、複数種の用紙カセットを携帯する必要がなく、利便性が向上する。
【００４８】
以上の説明では、第１の収納カセット１１０が選択されている状態から、第２の収納カセット１２０が選択されている状態への移行、第２の収納カセット１２０が選択されている状態から、第３の収納カセット１３０が選択されている状態への移行について説明したが、回転送りカム１６１を反時計回りに回転させることにより、第３の収納カセット１３０が選択されている状態から、第２の収納カセット１２０が選択されている状態への移行、第２の収納カセット１２０が選択されている状態から、第１の収納カセット１１０が選択されている状態への移行についても同様に行うことができる。
【００４９】
また、本実施の形態においては、第１の収納カセット１１０、第２の収納カセット１２０、第３の収納カセット１３０には、各々の収納カセットを識別するための識別マークが設けられていてもよい。この識別マークを不図示の識別マーク検出部において検出することにより、記録紙の種類あるいは選択されている収納カセットを自動判別することができ、回転送りカム１６１を回転させて収納カセットの位置を動かすことにより、所望の記録紙を選択して印刷をすることができる。
【００５０】
尚、本実施の形態においては、モータ１６８と回転送りカム１６１とを直接接続してもよく、また、図２７に示されるように、モータ１６８の回転軸１６８ａと回転送りカム１６１との間に、ギヤなどの回転伝達部材１６９を設けてもよい。この場合には、モータ１６８を回転させることにより、回転軸１６８ａと接触している回転伝達部材１６９が回転し、更に、回転伝達部材１６９と接触している回転送りカム１６１を回転させることができる。
【００５１】
（印刷動作）
次に、印刷装置における印刷について説明する。図２８は第２の収納カセット１２０が選択された状態のプリンタ２００を示す。図２９は第２の収納カセット１２０が接続されている部分の断面の拡大図である。
【００５２】
記録紙カセット１００の開口１０２とプリンタ２００の給紙口２５１及び給紙口２６１とがつながった状態では、給紙ローラ２１３と第１の搬送ローラ１４０とが接触した状態となる。第１の搬送ローラ１４０は給紙ローラ２１３の回転を受けて回転する。記録紙カセット１００には、第１の搬送ローラ１４０の回転に伴い第２の搬送ローラ１５０を回転させる第１のギア１８１及び第２のギア１８２が設けられている。第１の搬送ローラ１４０及び第２の搬送ローラ１５０には各々直結したギアが設けられており、第１の搬送ローラ１４０に直結しているギアには第１のギア１８１が接続されており、第１のギア１８１には第２のギア１８２が接続されており、第２のギア１８２には第２の搬送ローラ１５０に直結しているギアが接続されている。尚、図２９においては、第１のギア１８１及び第２のギア１８２の歯は、便宜上省略されている。また、図２９を除き、第１のギア１８１及び第２のギア１８２は図示省略されている。
【００５３】
プリンタ２００で印刷を行う際には、記録紙を印刷ヘッド２１１に向けて搬送するために、給紙ローラ２１３が図２９図示反時計回りに回転する。給紙ローラ２１３が反時計回りに回転すると第１の搬送ローラ１４０は時計回りに回転し、この回転が第１のギア１８１及び第２のギア１８２を介し第２の搬送ローラ１５０に伝達され、第２の搬送ローラ１５０が反時計回りに回転する。
【００５４】
図１０に示す状態では、第２の搬送ローラ１５０は、第２の収納カセット１２０の窓部１２７を介し、第２の収納カセット１２０の一番上の記録紙の表面と接触している。第２の搬送ローラ１５０が反時計回りに回転することにより、記録紙はＹ２方向に動きプリンタ２００に向けて搬送され、開口１０２と給紙口２５１及び給紙口２６１とがつながっている領域を通り、給紙ローラ２１３と第１の搬送ローラ１４０との間に挟まれて、印刷ヘッド２１１に向けて搬送される。第１の搬送ローラ１４０及び第２の搬送ローラ１５０は、ワンウェイ機能を有しているので、給紙ローラ２１３が時計回りに回転しても記録紙を記録紙カセット１００側へ送ることはない。
【００５５】
印刷装置で印刷を行う場合には、不図示の携帯情報端末に設けられたタッチパネルを操作することにより、印刷の指示を携帯情報端末に入力する。携帯情報端末に指示を入力することにより、携帯情報端末のメモリに記憶された印刷情報や印刷を指示するための信号が、ＢＬＥ等の通信により印刷装置に送信され、この情報に基づき記録紙に印刷が行われる。
【００５６】
（他の接続例）
次に、図３０に基づき、記録紙カセット１００が接続されたプリンタ２００が、携帯情報端末３００に取り付けられている状態を示す。この場合には、プリンタ２００の電源２８０は取り外されている。携帯情報端末３００は、スマホジャケット（以下「ジャケット」）３１０が取り付けられており、ジャケット３１０とプリンタ２００または記録紙カセット１００が接続部材により接続されている。
【００５７】
〔第２の実施の形態〕
（記録紙カセット）
次に、第２の実施の形態による記録紙カセット１００について説明する。図３１は、本実施の形態による記録紙カセット１００の透過斜視図であり、図３２は左側面図である。
【００５８】
本実施の形態における記録紙カセット１００の筐体１０１には、第１の収納カセット１１０、第２の収納カセット１２０、第３の収納カセット１３０、第１の搬送ローラ１４０、第２の搬送ローラ１５０が設けられる。
【００５９】
本実施の形態による記録紙カセット１００では、回転送りカム１６１及び１６２、伝達シャフト１６５は設けられているが、回転送りカム１６３及び１６４、タイミングベルト１６６及び１６７は設けられてはいない。尚、図３１〜図３８では、回転送りカム１６１を回転させるモータは図示省略されている。
【００６０】
また、図３２に示されるように、第２の収納カセット１２０の側面となるＸ１側及びＸ２側には、２本の支持ピン４２８、４２９が設けられている。第１の収納カセット１１０、第２の収納カセット１２０、第３の収納カセット１３０よりもＸ１側及びＸ２側には、各々バネ１７０と接続部材４７０が設けられている。接続部材４７０は、第１の接続部材４７１、第２の接続部材４７２、連結部材４７３を有している。このように第１の接続部材４７１及び第２の接続部材４７２を設けることにより、第１の収納カセット１１０、第２の収納カセット１２０、第３の収納カセット１３０を平行に保ったまま動かすことができるため、第１の実施の形態において設けられていた回転送りカム１６３及び１６４、タイミングベルト１６６及び１６７が不要となる。
【００６１】
バネ１７０は、例えば巻きバネであり、一方の端部１７０ａは筐体１０１の内側に接続されており、他方の端部１７０ｂは接続部材４７０に設けられた接続部４７４に接続されている。第１の接続部材４７１及び第２の接続部材４７２は略同じ形状により形成されており、第１の接続部材４７１には長穴４７１ａが形成され、第２の接続部材４７２には長穴４７２ａが形成されている。第１の接続部材４７１と第２の接続部材４７２は、第１の接続部材４７１のＺ１方向の端部及び第２の接続部材４７２のＺ１方向の端部が連結部材４７３により接続されており、第１の接続部材４７１と第２の接続部材４７２が連結部材４７３により接続されている状態では、長穴４７１ａの長手方向と長穴４７２ａの長手方向とが平行となっている。従って、第１の接続部材４７１、第２の接続部材４７２及び連結部材４７３を有する接続部材４７０は、パンタグラフのようになっている。
【００６２】
また、長穴４７１ａには、第２の収納カセット１２０の側面に設けられた支持ピン４２８と、筐体１０１の内側に設けられた支持ピン４０３が入っている。同様に、長穴４７２ａには、支持ピン４２９と、支持ピン４０４が入っている。この状態では、バネ１７０には、縮む方向、即ち、接続部材４７０がＹ２方向に移動する方向に復元力が働いている。
【００６３】
本実施の形態では、第１の収納カセット１１０のＺ１側のＹ２側の端にはピン受け部１１１が設けられており、第２の収納カセット１２０のＺ１側のＹ２側の端にはピン受け部１２１が設けられており、第３の収納カセット１３０のＺ１側の、Ｙ２側の端にはピン受け部１３１が設けられている。一方、第１の収納カセット１１０、第２の収納カセット１２０、第３の収納カセット１３０のそれぞれのＹ１側にはピン受け部１３２は設けられてなくともよい。
【００６４】
（収納カセットの選択）
次に、記録紙カセットにおける記録紙の選択について説明する。
【００６５】
図３３に基づき、第１の収納カセット１１０に収納されている記録紙に印刷を行う場合について説明する。尚、図３３〜図３６では、便宜上、回転送りカム１６２を図示しているが、紙面反対側の対応する位置には、回転送りカム１６１が存在している。
【００６６】
第１の収納カセット１１０が選択されている状態では、図示はしないが、第１の実施の形態と同様に、回転送りカム１６１のピン１６１ｃの一方が、第１の収納カセット１１０のピン受け部１１１に入っている。尚、他方のピン１６１ｃは、何にも接触していない。
【００６７】
この状態では、バネ１７０により、第１の接続部材４７１には筐体１０１に設けられた支持ピン４０３を中心に、第２の接続部材４７２には支持ピン４０４を中心に、それぞれ図３３図示時計回りに、それぞれ付勢力が働いている。この付勢力により、長穴４７１ａに入っている支持ピン４２８、及び長穴４７２ａに入っている支持ピン４２９は、Ｙ２方向に押されている。
【００６８】
次に、図３４に基づき、第２の収納カセット１２０に収納されている記録紙に印刷を行う場合について説明する。
【００６９】
選択するカセットの第１の収納カセット１１０から第２の収納カセット１２０への変更は、不図示のモータにより回転送りカム１６１を図３４図示時計回りに回転させることにより行う。図３５は、第１の収納カセット１１０が選択されている状態から、第２の収納カセット１２０が選択されている状態へ移行する途中の状態を示している。具体的には、図３３の状態から、回転送りカム１６１を図示時計回りに９０°回転させることにより図３５に示される状態となる。更に９０°回転送りカム１６１を回転させることにより、図３４に示される状態になる。即ち、図３３の状態から回転送りカム１６１を時計回りに１８０°回転させることにより、図３４の状態になり、積層された収納カセットが図示左斜め上方に移動する。
【００７０】
第２の収納カセット１２０が選択されている状態では、図示はしないが、回転送りカム１６１の一方のピン１６１ｃが第１の収納カセット１１０のピン受け部１１１に入っており、他方が第２の収納カセット１２０のピン受け部１２１に入っている。また、図３４に示されるように、この状態では、バネ１７０の復元力により、第１の接続部材４７１の長穴４７１ａに入っている支持ピン４２８、及び、第２の接続部材４７２の長穴４７２ａに入っている支持ピン４２９は、Ｙ２方向に押されている。
【００７１】
次に、図３６に基づき、第３の収納カセット１３０に収納されている記録紙に印刷を行う場合について説明する。
【００７２】
選択するカセットを第２の収納カセット１２０から第３の収納カセット１３０に変える場合も、第１の収納カセット１１０から第２の収納カセット１２０への切り替えと同様に、不図示のモータにより回転送りカム１６１を時計回りに１８０°回転させる。この動作によって、筐体内で積層された収納カセットが、図３４の位置から図３６の位置に図示左斜め上方に移動し、搬送ローラが第３の収納カセット１３０に収納された記録紙に接する。
【００７３】
第３の収納カセット１３０が選択されている状態では、図示はしないが、一方のピン１６１ｃが第３の収納カセット１３０のピン受け部１３１に入っており、他方が第２の収納カセット１２０のピン受け部１２１に入っている。また、図３６に示されるように、この状態では、バネ１７０の復元力により、第１の接続部材４７１の長穴４７１ａに入っている支持ピン４２８、及び、第２の接続部材４７２の長穴４７２ａに入っている支持ピン４２９は、Ｙ２方向に押されている。
【００７４】
また、本実施の形態における記録紙カセット１００では、図３７及び図３８に示されるように、筐体１０１のＹ１側端部近傍に背面蓋１０９が設けられており、第１の収納カセット１１０のＹ１側端部近傍には背面蓋１１９が設けられている。第１の収納カセット１１０に記録紙を補充する際には、背面蓋１０９を開き、更に背面蓋１１９を開く。
【００７５】
同様に、第２の収納カセット１２０のＹ１側端部近傍には背面蓋１２９が設けられており、第２の収納カセット１２０に記録紙を補充する際には、背面蓋１０９を開き、更に背面蓋１２９を開く。
【００７６】
また、第３の収納カセット１３０のＹ１側端部近傍には背面蓋１３９が設けられており、第３の収納カセット１３０に記録紙を補充する際には、背面蓋１０９を開き、更に背面蓋１３９を開く。このように、背面蓋１０９、背面蓋１１９、背面蓋１２９、背面蓋１３９を設けることにより、プリンタに記録紙カセットを接続した状態のまま記録紙を補充することができる。
【００７７】
筐体１０１の背面蓋１０９、第１の収納カセット１１０の背面蓋１１９、第２の収納カセット１２０の背面蓋１２９、第３の収納カセット１３０の背面蓋１３９は、第１の実施の形態にも適用可能である。尚、上記以外の内容については、第１の実施の形態と同様である。
【００７８】
以上、本発明の実施に係る形態について説明したが、上記内容は、発明の内容を限定するものではない。また、収納カセットの段数は３段に限定するものではない。
【符号の説明】
【００７９】
１００      記録紙カセット
１０１      筐体
１０２      開口
１０３      支持ピン
１１０      第１の収納カセット
１１１、１１２      ピン受け部
１２０      第２の収納カセット
１２１、１２２      ピン受け部
１２７      窓部
１２８      支持ピン
１３０      第３の収納カセット
１３１、１３２      ピン受け部
１４０      第１の搬送ローラ
１５０      第２の搬送ローラ
１６１、１６２、１６３、１６４      回転送りカム
１６１ｃ    ピン
１６５      伝達シャフト
１６６、１６７      タイミングベルト
１６８      モータ
１７０      バネ
１７１      接続部材
１７１ａ    長穴
２００      プリンタ
２１３      給紙ローラ
３００      携帯情報端末
【図１】
2019043766.tif 000003
【図２】
2019043766.tif 000004
【図３】
2019043766.tif 000005
【図４】
2019043766.tif 000006
【図５】
2019043766.tif 000007
【図６】
2019043766.tif 000008
【図７】
2019043766.tif 000009
【図８】
2019043766.tif 000010
【図９】
2019043766.tif 000011
【図１０】
2019043766.tif 000012
【図１１】
2019043766.tif 000013
【図１２】
2019043766.tif 000014
【図１３】
2019043766.tif 000015
【図１４】
2019043766.tif 000016
【図１５】
2019043766.tif 000017
【図１６】
2019043766.tif 000018
【図１７】
2019043766.tif 000019
【図１８】
2019043766.tif 000020
【図１９】
2019043766.tif 000021
【図２０】
2019043766.tif 000022
【図２１】
2019043766.tif 000023
【図２２】
2019043766.tif 000024
【図２３】
2019043766.tif 000025
【図２４】
2019043766.tif 000026
【図２５】
2019043766.tif 000027
【図２６】
2019043766.tif 000028
【図２７】
2019043766.tif 000029
【図２８】
2019043766.tif 000030
【図２９】
2019043766.tif 000031
【図３０】
2019043766.tif 000032
【図３１】
2019043766.tif 000033
【図３２】
2019043766.tif 000034
【図３３】
2019043766.tif 000035
【図３４】
2019043766.tif 000036
【図３５】
2019043766.tif 000037
【図３６】
2019043766.tif 000038
【図３７】
2019043766.tif 000039
【図３８】
2019043766.tif 000040